(57)【要約】      （修正有）【課題】汎用な電子回路基板加工技術をもって製作可能な、高い解像度のイメージング計測ができる低コストの多次元位置検出マイクロストリップガスカウンタ型放射線センサー素子を提供する。【解決手段】絶縁基板表面上に陰電極ストリップ、絶縁基板背面に陽電極ストリップを配置し、絶縁基板に大きなスルーホールを多数設けることによって、放射線により電離ガス中に発生した電子及びイオンが両電極間を自由に移動できる素子基板構造を採用する。二次元のそれぞれの信号出力に極性が逆転した同一のパルス波形でかつ大きな電気信号を与え、高い信号対雑音比を得る。【選択図】図１７
2005055306.tif 000002
【特許請求の範囲】
【請求項１】
絶縁基板背面に少なくとも１本以上の幅５０［μｍ］以下の陽電極ストリップを、また絶縁基板表面に少なくとも１本以上の陰電極ストリップを陽電極ストリップと直交する方向に配置し、陽電極ストリップの極近傍の強電界勾配の下でガス中の電子を増倍させ、それぞれの陽電極ストリップまたは陰電極ストリップから、あるいはその両方から放射線検出電気信号を出力させて放射線を検出する原理に基づいた一次元または二次元位置検出マイクロストリップガスカウンタ型放射線センサー素子において、電子及びイオンを自由に通過させる目的で陽電極ストリップ及び陰電極ストリップがプリントされていない絶縁基板面に少なくとも１個以上の径方向断面が円形、楕円形及び四角形等をしたスルーホール（貫通孔）を設けた構造を特徴とした多次元位置検出マイクロストリップガスカウンタ型放射線センサー素子。
【請求項２】
請求項１の放射線センサー素子であって、スルーホール列とスルーホール列の間に配置される陰電極ストリップを２本に分けてプリントし、スルーホール列を挟む陰電極ストリップ２本からの放射線検出電気信号を加算して１チャンネルの信号として出力させた多次元位置検出マイクロストリップガスカウンタ型放射線センサー素子。
【請求項３】
請求項１の放射線センサー素子であって、絶縁基板背面の陽電極ストリップと陽電極ストリップとの間に第３の電極ラインを配置して、これらを電気的直流結合によりグラウンドに接続し、陽電極ストリップ間のクロストークを減じるためのガード電極として用いた多次元位置検出マイクロストリップガスカウンタ型放射線センサー素子。
【請求項４】
請求項１の放射線センサー素子であって、スルーホール列とスルーホール列の間に配置されるストリップを３本に分けてプリントし、その中央のストリップを電気的直流結合によりグラウンドに接続するか、あるいは中央ストリップにその両側の陰電極ストリップに印加されている電圧と同等の直流電圧を直接印加し、中央ストリップを陰電極ストリップ間のクロストークを減じるためのガード電極として用いた多次元位置検出マイクロストリップガスカウンタ型放射線センサー素子。
【請求項５】
請求項１乃至４のいずれかに記載の放射線センサー素子であって、陽電極ストリップを絶縁基板の表面に、また陰電極ストリップを絶縁基板の背面に配置した構造を特徴とする多次元位置検出マイクロストリップガスカウンタ型放射線センサー素子。
【請求項６】
請求項目１の放射線センサー素子であって、絶縁基板表面に設けた陰電極ストリップの面内にスルーホールを配置した構造を特徴とする多次元位置検出マイクロストリップガスカウンタ型放射線センサー素子。
【請求項７】
請求項６の放射線センサー素子であって、陽電極ストリップがスルーホールの開口面を横切るように絶縁基板背面に配置プリントするか、あるいは陽電極ストリップを新たな背面絶縁基板の上にプリントして、それぞれの陽電極ストリップがスルーホールの開口面を横切るように背面絶縁基板を絶縁基板の裏面に配置した構造を特徴とする多次元位置検出マイクロストリップガスカウンタ型放射線センサー素子。
【請求項８】
請求項７の放射線センサー素子であって、絶縁基板背面の陽電極と陽電極ストリップとの間に第３の電極ラインを配置して、これらを電気的直流結合によりグラウンドに接続するか、あるいは第３電極ラインにその両側の陽電極ストリップに印加されている電圧と同等の直流電圧を直接印加し、第３電極ラインを陽電極ストリップ間のクロストークを減じるためのガード電極として用いた多次元位置検出マイクロストリップガスカウンタ型放射線センサー素子。
【請求項９】
請求項１乃至８のいずれかに記載の放射線センサー素子であって、絶縁基板に設けられるスルーホールが円形、四角形及び楕円形等の径方向断面形状とストレート形、背面開口テーパー形及び表面開口テーパー形等の軸方向断面形状のいずれかの組合せた形状の多次元位置検出マイクロストリップガスカウンタ型放射線センサー素子。
【請求項１０】
請求項１乃至８のいずれかに記載の多次元位置検出マイクロストリップガスカウンタ型放射線センサー素子を平面上に少なくとも２枚以上並べて、各々の放射線センサー素子の陽電極ストリップ間及び陰電極ストリップ間を電気的に接続し、複数枚の放射線センサー素子をパッチワーク的に張り合わせて１枚の大きな面積の放射線センサー素子として作動するように構成した多次元位置検出マイクロストリップガスカウンタ型放射線センサー素子。
【発明の詳細な説明】
【技術分野】
【０００１】
本発明は、例えば、エックス線または中性子散乱を用いた物質の構造解析実験において、高速応答性能、広い計測レンジ及び高位置検出分解能が要求されるエックス線及び中性子インメージング計測に用いられる一次元あるいは二次元放射線センサーに関する。
【背景技術】
【０００２】
電離ガスを用いたエックス線または中性子を計測するためのイメージングセンサーでは、それらから得られる一次電離電荷が３×１０-15クーロン［Ｃ］以下と極めて微少であるため、センサー内で高電圧電場により電子増倍した後、電気信号として取出している。上記の原理を用いた放射線センサーとしては、次のものがある。
【０００３】
（１）直径２０［μｍ］程度の極めて細い金属線を数ミリメートル間隔で縦横に張り、それぞれの縦線出力をX軸信号として、横線出力をY軸信号とした構造のマルチワイヤ比例計数管（ＭＷＰＣ）型放射線センサー。
【０００４】
（２）絶縁基板表面上に幅１０［μｍ］程度の陽電極ストリップを、そして両脇に５０［μｍ］程度の絶縁ギャップを介して陽電極ストリップを挟む形で幅１００［μｍ］程度の陰電極ストリップを配置した電極対を多数並べ、背面には陽電極ストリップと直交する方向に表面の陽電極と同じピッチでバックストリップを配置して、それぞれの陽電極ストリップ出力をＸ軸信号として、それぞれのバックストリップの出力をＹ軸信号とした構造のマイクロストリップガスカウンタ（ＭＳＧＣ）型放射線センサー。
【０００５】
（３）縁基板背面に多数本の陽電極ストリップを数１００［μｍ］間隔で配置し、それぞれの陽電極ストリップの長さ方向数１００［μｍ］間隔でストリップ真上の絶縁基板にそれを貫通する直径５０［μｍ］以下の円柱状の金属製スタッドピンを陽電極ストリップと電気的に接合する形で成形し、また表面のスタッドピンの真上に陽電極ストリップと直交する方向に帯状の陰電極ストリップを配置して、その陰電極ストリップとスタッドピンが重なる部分にスタッドピンと同心で幅１００［μｍ］程度のドーナツ状絶縁ギャップを設け、それぞれの陽電極出力をＸ軸信号、それぞれの陰電極出力をＹ軸信号とした構造のマイクロピクセルガスカウンター（ＭＰＧＣ）型放射線センサー。
【０００６】
又、本発明の背景技術には、更に次のものものがある。
（１） MWPC原理に基づいた二次元位置検出型検出器が中性子小角散乱
実験装置のために製作された。その検出器の有感面積は640x640mm2である。中性子検出効率と高位置分解能の性能を得るため、そして視差を最小にするため、混合ガスは190kPa 3He + 100kPa CF4にし、そして有感体積を30mm厚さにした。検出器の最大中性子計数率の設計は105イベント／秒である。計算上の中性子検出効率は2Åの中性子で60%であり、そしてアノードグリッドにおける測定された中性子エネルギー分解能は代表的で20％（半値幅）であった。有感面で検出された中性子の位置は、ワイヤ対ワイヤ法（高い分解能の5x5mm2はワイヤ座標によって定義された）を使って決定された。16チャンネルの電荷型前置増幅器／増幅器／コンパレーターモジュールは、チャンネル感度が0.1V/fC、ノイズラインの幅が0.4fCそしてチャンネル間クロストークが5%以下の性能を持ったものが開発された（非特許文献１）。
【０００７】
（２） 我々はマイクロチップ  モジュール（MCM）技術を用いて、検出
面積5cm x 5cmの二次元マイクロストリップ  ガス  チェンバ（MSGC）を開発した。それは17mmの薄い素子基板、200 mmのピッチの254アノードと255バックストリップを有している。MSGCは、500ピン以上を持った大きなピングリッドアレイ（PGA）パッケージにマウントされている。それは読出し電子回路と組み合わされたイメージングMSGCからの大量の信号を容易に接続することを可能にする。本誌において、我々は強烈なX線線源の近くで作動するX線イメージング検出器としてのMSGCの能力について報告する。高輝度X線の下での安定な作動を得るために、約20mm素子基板と約1015W/squareの表面抵抗が解決策であることがわかった。表面抵抗の制御はポリイミド素子基板の表面に有機チタンをコーティングすることで行った。この改善により、MSGCが107Hz/mm2の高計数率の下で約103秒間安定に作動した。また、MSGCはＸ線発生器からの中程度輝度のX線の下で数ヶ月間作動した。この測定において、ヒットした電極の位置を記録するだけのシンプルな読取り法を用い、約60mmRMS位置分解能を有した高品質デジタルＸ線イメージングを達成した（非特許文献２）。
【０００８】
（３） Ｘ線、ガンマ線及び荷電粒子のイメージングのために、斬新なガスを用いた検出器Micro Pixel Chamber(mu-PIC)が開発された。そのmu-PICは、大面積検出器が容易に生産できる両面プリント回路基板を基本にして製作される。0.4mmピッチ、3cmx3cm面積の mu-PICを用いた作動テストは成功裡に行われた。ガスゲインと安定性はこのテストで測定された。103のガスゲインにおける5日間の連続作動テストで、アノードとカソード間放電はおろかゲインの減少さえなかった。また、107cps/mm2の輝度のＸ線照射までゲインの低下は観測されなかった（非特許文献３）。
【非特許文献１】著者：Knott,-R.B.; Watt,-G.; Boldeman,-J.W.; Smith,-G.C.; et al.題名：A large 2D PSD for thermal neutron detector.発行所（書名）：Nuclear-Instruments-and-Methods-in-Physics-Research.-SectionA,-Accelerators,Spectrometers.発行日：(21 Jun 1997). 該当頁：v.392(1-3). P.62-67
【非特許文献２】著者：Toru Tanimori; Atsuhiko Ochi; Seiji Minami, Tomofumi Naga.題名：Development of an imaging microstrip gas chamber with a 5cm x tcm area based on multi-chip module technology. 発行所(書名)：Nuclear-Instruments-and-Methods-in-Physics-Research.-Section-A 381 (1996).受理日：(6 May 1996). 該当頁： P.280-288
【非特許文献３】著者：Ochi Atsuhiko; Nagayoshi Tsutomu; Koishi Satoshi, Tanimori,-Toru; et al.題名：Development of micro pixel chamber.Nuclear-Instruments-and-Methods-in-Physics-Research.-Section-A,-Accelerators,-Spectrometers,-Detectors-and-Associated-Equipment (1 Feb 2002) v. 478(1-2)      発行日：(1 Feb 2002). 該当頁： p. 196-199
【発明の開示】
【発明が解決しようとする課題】
【０００９】
エックス線または中性子散乱を用いた物質の構造解析実験に用いられるエックス線及び中性子インメージングセンサには、数１００［μｍ］の極めて高い位置検出分解能と６桁以上のダイナミックレンジ、高い信号対雑音比（Ｓ／Ｎ）、その上、広い検出面積が求められる。これらを実現するためには、先ず、電極ピッチを１［ｍｍ］以下の狭い間隔で配置し、且つ電極間隔が作動中に位置的に変動しないことが要求される。また、高い Ｓ／Ｎを得るには、エックス線及び中性子から得られる一次電離電荷が極少であることから、大きなガス増幅率を達成することはもとより、センサー内で発生した電気信号を損失無く信号電極から取出せる構造のセンサーが必要である。
【００１０】
従来のＭＷＰＣ型放射線センサーでは直径２０［μｍ］程度の極めて細い金属線を１［ｍｍ］以下の等間隔で広い面積に張ることは技術的に困難であり、この結果、高速電荷収集及び位置検出分解能の向上には限界があった。また、空間に極めて細い金属線を狭い間隔で長く張った場合に検出器の振動により金属線が揺らいで出力信号が不安定になる、金属線が接触するなどの問題があった。
【００１１】
ＭＳＧＣ型放射線センサーでは、絶縁基板表面上に５０［μｍ］程度の狭い絶縁間隔で電極が配置されている結果、絶縁基板表面近傍のイオン群の移動に伴う絶縁基板背面のバックストリップへの電気誘導が表面の電極列の遮蔽によって大きく減損し、バックストリップ信号が極めて小さくなり、Ｓ／Ｎが悪く、高い解像度のイメージング計測が困難であった。また、陽電極ストリップはガス増幅を大きくするために、そのストリップ幅を１０［μｍ］前後の細い金属薄膜を用いなければならず、現在の微細加工技術をもってしても長さ１０［ｃｍ］以上のストリップを加工することが難しく、大面積の素子の製作ができないなどの課題があった。
【００１２】
ＭＰＧＣ型放射線センサーでは、絶縁基板表面にはそれぞれの貫通スタッドピンと重なる部分にスタッドピントと同心で２００［μｍ］程度の円形の穴を開けた帯状の陰電極ストリップを設ける必要がある。貫通スタッドピンと円形絶縁帯の中心がずれると、電界強度分布に偏りが生じて放電の原因になるため、総ての貫通スタッドピンと円形絶縁帯を高い精度で同心加工することが極めて重要である。例えば５０ｘ５０［ｍｍ］の小さな有効検出面積の素子を製作する場合でも、スタッドピンのピッチが４００［μｍ］のメッシュでは絶縁基板の全面に基板を貫通した直径５０［μｍ］以下の円柱状のスタッドピンを１５，０００本以上形成し、総てのスタッドピンと円形絶縁帯との同心加工誤差を数マイクロメートル以下にする必要があり、製作するには極めて高度な加工技術を要し、また、貫通スタッドピンの形成には複雑な多数の加工工程を必要とする結果、ＭＰＧＣ型放射線センサーの製作コストが高くなるなどの課題があった。
【課題を解決するための手段】
【００１３】
本発明では、絶縁基板表面上に陰電極ストリップ、絶縁基板背面に陽電極ストリップを配置、あるいは陰電極ストリップと陽電極ストリップを逆転配置し、絶縁基板に大きなスルーホールを多数設けることによって、放射線により電離ガス中に発生した電子及びイオンが両電極間を自由に移動できる素子基板構造を採用する。この構造により、陽陰電極ストリップを非接触で直交する形に配置することができ、陽陰電極部があたかもガス中に浮いて配置されているような効果を得ることができる。この結果、電離ガス中の電子群とイオン群がそれぞれ陽陰電極ストリップに収集することが可能になり、イオンが絶縁基板に溜まることなく、陽陰電極ストリップには同じ波形で極性が異なった大きな電気信号パルスを発生させることができる。
【発明の効果】
【００１４】
本発明は、絶縁基板の表面上と背面にプリントした電極ストリップと絶縁基板に開けた直径５０から１５０［μｍ］程度のスルーホールのシンプルな組合せで構成されるため、電極ピッチを２００［μｍ］以下にすることも十分可能であり、電極間隔が振動等により変化することもなく、ＭＷＰＣ素子が有する課題を解決できる。
【００１５】
本発明は、絶縁基板表面上に陰電極ストリップ、絶縁基板背面に陽電極ストリップを配置、あるいは陰電極ストリップと陽電極ストリップを逆転配置し、絶縁基板に多数の大きなスルーホールを設けることによって、電離ガス中の電子及びイオンが両電極間を自由に移動可能になり、この結果、ガス増幅が生じる陽陰電極部がガス中に浮いて配置されているような効果をもたらし、入射した電子群は陰電極ストリップと極細の陽電極ストリップ間に印加された高電圧により形成された陽電極ストリップ近傍の非常に高い電界勾配によってガス増幅されて、発生した電子とイオン雲がそれぞれ陽陰電極ストリップに電荷収集される。このことによって、陽電極ストリップと陰極ストリップに電気誘導される信号電流を等しくすることができて、従来品のＭＳＧＣ素子のようにバックストリップに誘導される信号電流が減損してＳ／Ｎを低下させて位置検出分解能を大幅に低下させるといった問題点を解決する。
【００１６】
また、本発明では、陰電極及び陽電極ストリップを絶縁基板の両面に且つそれぞれの電極を直交する方向で配置することができるため、各電極ストリップ間の距離を大きくでき且つそれぞれの陽陰電極ストリップの先端部が絶縁基板の四辺に配置できることから十分なスペースが取れる。この結果、１０［ｃｍ］四方の素子をパッチワーク手法によって接続、大面積化が可能になり、ＭＳＧＣ素子のように狭い幅の陽電極ストリップを長くプリントする必要がないため、大面積化の課題も解決する。
【００１７】
従来品のＭＰＧＣ素子では、絶縁基板を貫通する多数のスタッドピンの加工及び絶縁基板表面の陰電極ストリップに開けられる円形絶縁帯とスタッドピンとの同心加工及びスタッドピンの成形加工には極めて高度な微細加工技術を必要とし、製作歩留まりと高い製作コストが課題であった。本発明では絶縁基板の両面に設けた陽陰電極ストリップと大きなスルーホールで構成され、絶縁基板を使った直線電極のプリントとスルーホールの組合せのシンプルな構造であり、製作を容易にする効果が得られる。また、スルーホールの断面形状及びアスペクト比（絶縁基板厚さ／スルーホール径の比）によってその性能に影響を与えないことから、汎用のプリント基板加工技術を用いた製作を可能にし、低い製造コストが実現でき、従来のＭＰＧＣ素子が有する微細加工の困難性、高コスト及び低い歩留まりの課題を解決する。
【００１８】
従来品では、絶縁基板を薄くし、また、電極ピッチを小さくすると、１本の電極線に流れた信号電流が電磁誘導及びキャパシタンス結合によって他の電極線に誘導電流が流れる現象、即ちクロストークが問題であった。本発明は電極ストリップ間にガード電極を設け、総てのガード電極を電気的直流結合によりグラウンドに接続するか、あるいは総てのガード電極にその両側の電極ストリップに印加されている電圧と同等の直流電圧を直接印加することでクロストークを十分小さくして、クロストークによる雑音の上昇課題を解決する。
【発明を実施するための最良の形態】
【００１９】
図１には、絶縁基板の背面に陽電極ストリップ、そして絶縁基板表面に陽電極ストリップと直交する方向に帯状の陰電極ストリップをそれぞれ配置し、陰電極ストリップと陽電極ストリップが格子状に配置された絶縁基板の升目部分に径方向断面が円形のスルーホールを設けた構造の本発明における二次元位置検出マイクロストリップガスカウンタ型放射線センサー素子が示される。図１の素子において、１は絶縁基板、２は陽電極ストリップ、３は陰電極ストリップ、４は円形スルーホール、５は陽電極ストリップ信号出力、６は陰電極ストリップ信号出力を示す。
【００２０】
図２には、絶縁基板の背面に陽電極ストリップ、そして絶縁基板表面に陽電極ストリップと直交する方向に帯状の陰電極ストリップをそれぞれ配置し、陰電極ストリップと陽電極ストリップが格子状に配置された絶縁基板の升目部分に径方向断面が楕円形のスルーホールをそれぞれ２個設けた構造の本発明における二次元位置検出マイクロストリップガスカウンタ型放射線センサー素子が示される。図２の素子において、１は絶縁基板、２は陽電極ストリップ、３は陰電極ストリップ、４は楕円形スルーホール、５は陽電極ストリップ信号出力、６は陰電極ストリップ信号出力を示す。
【００２１】
図３は、図２の放射線センサー素子にあって、スルーホール列間の陰電極ストリップをそれぞれ２本に分けて配置し、スルーホール列を挟んだ２本の陰電極ストリップからの電気信号を加算して出力する構造にした本発明における二次元位置検出マイクロストリップガスカウンタ型放射線センサー素子を示す。図３の素子において、１は絶縁基板、２は陽電極ストリップ、３は陰電極ストリップ、４は楕円形スルーホール、５は陽電極ストリップ信号出力、６は陰電極ストリップ信号出力、７は２本に分けて配置した内のもう１本の陰電極ストリップを示す。
【００２２】
図４には、図２の放射線センサー素子にあって、絶縁基板背面の陽電極と陽電極ストリップの間に第３の電極としてガード電極を設け、それぞれのガード電極を電気的直流結合でグラウンドに接続し、陽電極ストリップ間のクロストークを低減させてＳ／Ｎを向上させた構造の本発明における二次元位置検出マイクロストリップガスカウンタ型放射線センサー素子が示される。図４の素子において、１は絶縁基板、２は陽電極ストリップ、３は陰電極ストリップ、４は楕円形スルーホール、５は陽電極ストリップ信号出力、６は陰電極ストリップ信号出力、８はガード電極を示す。
【００２３】
図５には、図３の放射線センサー素子にあって、陽電極ストリップを絶縁基板の表面に、陰電極ストリップを絶縁基板の背面に配置した構造の本発明における二次元位置検出マイクロストリップガスカウンタ型放射線センサー素子が示される。図５の素子において、１は絶縁基板、２は陽電極ストリップ、３は陰電極ストリップ、４は楕円形スルーホール、５は陽電極ストリップ信号出力、６は陰電極ストリップ信号出力、７は２本に分けて配置した内のもう１本の陰電極ストリップを示す。
【００２４】
図６には、図２の放射線センサー素子にあって、スルーホール形状を円形にして、且つそれぞれのスルーホール位置を陰電極ストリップの面内に配置した構造の本発明における二次元位置検出マイクロストリップガスカウンタ型放射線センサー素子が示される。図６の素子において、１は絶縁基板、２は陽電極ストリップ、３は陰電極ストリップ、４は陰電極ストリップの面内に配置した円形スルーホール、５は陽電極ストリップ信号出力、６は陰電極ストリップ信号出力を示す。
【００２５】
図７には、図６の放射線センサー素子にあって、陽電極ストリップを新たな背面絶縁基板上にプリントしてそれぞれの陽電極ストリップがスルーホールの開口面を横切るように、背面絶縁基板を絶縁基板の背面に配置した構造の本発明における二次元位置検出マイクロストリップガスカウンタ型放射線センサー素子が示されている。図７の素子において、１は絶縁基板、２は陽電極ストリップ、３は陰電極ストリップ、４は陰電極ストリップの面内に配置した円形スルーホール、５は陽電極ストリップ信号出力、６は陰電極ストリップ信号出力、９は陽電極ストリップをプリントした背面絶縁基板を示す。
【００２６】
図８には、図７の放射線センサー素子にあって、絶縁基板背面の陽電極と陽電極ストリップ間に第３の電極としてガード電極を設け、それぞれのガード電極を電気的直流結合でグラウンドに接続し、陽電極ストリップ間のクロストークを低減させてＳ／Ｎを向上させた構造の本発明における二次元位置検出マイクロストリップガスカウンタ型放射線センサー素子が示される。図８の素子において、１は絶縁基板、２は陽電極ストリップ、３は陰電極ストリップ、４は陰電極ストリップの面内に配置した円形スルーホール、５は陽電極ストリップ信号出力、６は陰電極ストリップ信号出力、８はガード電極、９は陽電極ストリップをプリントした背面絶縁基板を示す。
【００２７】
図９は、スルーホールの断面形状を示した図で、径方向断面が円形、軸方向断面が四角形のスルーホールが示される。図９において、１は絶縁基板、２は円形スルーホールを示す。
【００２８】
図１０は、スルーホールの断面形状を示した図で、径方向断面が円形、軸方向断面が背面側開きの台形のスルーホールを示す。図１０において、１は絶縁基板、２は円形テーパー付きスルーホールを示す。図１１は、スルーホールの断面形状を示した図で、径方向断面が円形、軸方向断面が表面側開きの台形のスルーホールが示される。図１１において、１は絶縁基板、２は円形テーパー付きスルーホールを示す。
【００２９】
図１２は、スルーホールの断面形状を示した図で、径方向断面が長方形、軸方向断面が背面側開きの台形のスルーホールが示される。図１２において、
１は絶縁基板、２は長方形テーパー付きスルーホールを示す。
【００３０】
図１３は、スルーホールの断面形状を示した図で、径方向断面が楕円形、軸方向断面が背面側開きの台形のスルーホールが示される。図１３において、
１は絶縁基板、２は楕円形テーパー付きスルーホールを示す。
【００３１】
図１４は、二次元位置検出マイクロストリップガスカウンタ型放射線センサー素子の大面積化の方法を示した図で、図では４枚のセンサー素子をパッチワーク手法で張り合わせた場合の構成が示されている。図１４において、１０は１枚目のセンサー素子、１１は２枚目のセンサー素子、１２は３枚目のセンサー素子、１３は４枚目のセンサー素子、１４は図１５でセンサー素子の背面を拡大した部分、１５は図１６でセンサー素子の表面を拡大した部分を示す。
【００３２】
図１５は、図１４の１４部分のセンサー素子背面における接続部を拡大して示した図であり、陽電極ストリップの端部に設けたボンディングパット間をそれぞれボンディングワイヤで接続することにより、１枚目と２枚目のセンサー素子を張り合わせている。図１５において、１ａは１枚目センサー素子、１ｂは２枚目センサー素子、２ａは１枚目センサー素子の陽電極ストリップ、２ｂは２枚目センサー素子の陽電極ストリップ、１６ａは１枚目センサー素子の陽電極ストリップ端部のボンディングパット、１６ｂは２枚目センサー素子の陽電極ストリップ端部のボンディングパット、１７はボンティングワイヤを示す。
【００３３】
図１６は、図１４の１５部分のセンサー素子表面における接続部を拡大して示した図であり、陰電極ストリップの端部間をそれぞれボンディングワイヤで接続することにより、２枚目と４枚目のセンサー素子を張り合わせている。
図１６において、１ｂは２枚目センサー素子、１ｄは４枚目センサー素子、３ｂは２枚目センサー素子の陰電極ストリップ、３ｄは４枚目センサー素子の陰電極ストリップ、４ｂは２枚目センサー素子のスルーホール、４ｄは４枚目センサー素子のスルーホール、７ｂは２枚目センサー素子の陰電極ストリップ、７ｄは４枚目センサー素子の陰電極ストリップ、１７．ボンティングワイヤを示す。
【００３４】
図１７は、発明の二次元位置検出マイクロストリップガスカウンタ型放射線センサー素子を用いた中性子イメージングセンサーの構成と作動原理を示した図である。図１７において、１８は発明の二次元位置検出マイクロストリップガスカウンタ型放射線センサー素子、１９はドリフトプレート、２０は圧力容器、２１はヘリウム−３混合ガス、２２は陽電極ストリップのための正高電圧源、２３は陰電極ストリップのための負高電圧源、２４はドリフトプレートのための負高電圧源、２５は陽電極ストリップからの多チャンネル高速信号パルス出力、２６は陰電極ストリップからの多チャンネル高速信号パルス出力、２７は外部から圧力容器内に入射する中性子、２８はプロトン、２９はトリトン、３０は電子群、３１は電子なだれで発生したイオン対雲を示す。
【実施例】
【００３５】
一例として、本発明を中性子イメージングセンサーに応用した場合の構成及び作動原理は図１７に示した通りである。中性子イメージングセンサーでは二次元位置検出マイクロストリップガスカウンタ型放射線センサー素子１８、ドリフトプレート１９、圧力容器２０、封入されたヘリウム−３混合ガス２１、陽電極のための正高電圧源２２、陰電極のための負高電圧源２３、ドリフトプレートのための負高電圧源２４、陽電極ストリップからの多チャンネル高速信号パルス出力２５及び陰電極ストリップからの多チャンネル高速信号パルス出力２６から構成される。
【００３６】
外部から圧力容器内に入射する中性子２７がヘリウム−３原子２１と核反応して、プロトン２８とトリトン２９が放出されて、混合ガスが電離される。電離により発生した電子群３０はドリフトプレートに印加された負電圧２４の電界によって、放射線センサー素子１８面方向に移動する。センサー素子表面の極近傍で陽電極と陰電極間の強力な電界勾配によって電子が電子なだれを起こすことによりガス増幅されて、電子なだれで発生したイオン対雲３１がそれぞれ放射線センサー素子の陽陰電極へ高速で移動して、両電極に逆極性の電流パルスを発生させる。それぞれの陽電極ストリップ及び陰電極ストリップから出力される電流パルス２５及び２６をモニターすることによって、個々の中性子の検出位置を計測することが可能となる。
【産業上の利用可能性】
【００３７】
本発明は、絶縁基板背面に幅５０［μｍ］以下の陽電極ストリップを、また絶縁基板表面に陰電極ストリップを陽電極ストリップと直交する方向に配置し、陽電極ストリップの極近傍の強電界勾配の下でガス中の電子を増倍させて放射線を検出する原理に基づいた二次元放射線センサー素子であって、二次元のそれぞれの電気パルス出力が同等でかつ大きな信号を与え、高い信号対雑音比が得られ、かつ汎用な基板加工技術をもって製作可能な、低コストの多次元位置検出マイクロストリップガスカウンタ型放射線センサー素子を提供することにある。
【図面の簡単な説明】
【００３８】
【図１】絶縁基板の背面に陽電極ストリップ、そして絶縁基板表面に陽電極ストリップと直交する方向に帯状の陰電極ストリップをそれぞれ配置し、陰電極ストリップと陽電極ストリップが格子状に配置された絶縁基板の升目部分に径方向断面が円形のスルーホールを設けた構造の二次元位置検出マイクロストリップガスカウンタ型放射線センサー素子を示す図である。
【００３９】
（符号の説明）
１．絶縁基板、２．陽電極ストリップ、３．陰電極ストリップ、４．円形スルーホール、５．陽電極ストリップ信号出力、６．陰電極ストリップ信号出力。
【００４０】
【図２】絶縁基板の背面に陽電極ストリップ、そして絶縁基板表面に陽電極ストリップと直交する方向に帯状の陰電極ストリップをそれぞれ配置し、陰電極ストリップと陽電極ストリップが格子状に配置された絶縁基板の升目部分に径方向断面が楕円形のスルーホールをそれぞれ２個設けた構造の二次元位置検出マイクロストリップガスカウンタ型放射線センサー素子を示す図である。
【００４１】
（符号の説明）
１．絶縁基板、２．陽電極ストリップ、３．陰電極ストリップ、４．楕円形スルーホール、５．陽電極ストリップ信号出力、６．陰電極ストリップ信号出力。
【００４２】
【図３】図２の放射線センサー素子にあって、スルーホール列間の陰電極ストリップをそれぞれ２本に分けて配置した構造の二次元位置検出マイクロストリップガスカウンタ型放射線センサー素子を示す図である。
【００４３】
（符号の説明）
１．絶縁基板、２．陽電極ストリップ、３．陰電極ストリップ、４．楕円形スルーホール、５．陽電極ストリップ信号出力、６．陰電極ストリップ信号出力、７．２本に分けて配置した内のもう１本の陰電極ストリップ。
【００４４】
【図４】図２の放射線センサー素子にあって、絶縁基板背面にガード電極を設けた構造の二次元位置検出マイクロストリップガスカウンタ型放射線センサー素子を示す図である。
【００４５】
（符号の説明）
１．絶縁基板、２．陽電極ストリップ、３．陰電極ストリップ、４．楕円形スルーホール、５．陽電極ストリップ信号出力、６．陰電極ストリップ信号出力、８．ガード電極。
【００４６】
【図５】図３の放射線センサー素子にあって、陽電極ストリップを絶縁基板の表面に、陰電極ストリップを絶縁基板の背面に配置した構造の二次元位置検出マイクロストリップガスカウンタ型放射線センサー素子を示す図である。
【００４７】
（符号の説明）
１．絶縁基板、２．陽電極ストリップ、３．陰電極ストリップ、４．楕円形スルーホール、５．陽電極ストリップ信号出力、６．陰電極ストリップ信号出力、７．２本に分けて配置した内のもう１本の陰電極ストリップ。
【００４８】
【図６】図２の放射線センサー素子にあって、スルーホール形状を円形にした構造の二次元位置検出マイクロストリップガスカウンタ型放射線センサー素子を示す図である。
【００４９】
（符号の説明）
１．絶縁基板、２．陽電極ストリップ、３．陰電極ストリップ、４．陰電極ストリップの面内に配置した円形スルーホール、５．陽電極ストリップ信号出力、６．陰電極ストリップ信号出力。
【００５０】
【図７】図６の放射線センサー素子にあって、陽電極ストリップを新たな背面絶縁基板上にプリントした構造の二次元位置検出マイクロストリップガスカウンタ型放射線センサー素子を示した図である。
【００５１】
（符号の説明）
１．絶縁基板、２．陽電極ストリップ、３．陰電極ストリップ、４．陰電極ストリップの面内に配置した円形スルーホール、５．陽電極ストリップ信号出力、６．陰電極ストリップ信号出力、９．陽電極ストリップをプリントした背面絶縁基板。
【００５２】
【図８】図７の放射線センサー素子にガード電極が設けられた構造の二次元位置検出マイクロストリップガスカウンタ型放射線センサー素子を示す図である。
【００５３】
（符号の説明）
１．絶縁基板、２．陽電極ストリップ、３．陰電極ストリップ、４．陰電極ストリップの面内に配置した円形スルーホール、５．陽電極ストリップ信号出力、６．陰電極ストリップ信号出力、８．ガード電極、９．陽電極ストリップをプリントした背面絶縁基板。
【００５４】
【図９】スルーホールの断面形状を示した図である。
【００５５】
（符号の説明）
１．絶縁基板、２．円形スルーホール。
【００５６】
【図１０】スルーホールの断面形状を示した図である。
【００５７】
（符号の説明）
１．絶縁基板、２．円形テーパー付きスルーホール。
【００５８】
【図１１】スルーホールの断面形状を示した図である。
【００５９】
（符号の説明）
１．絶縁基板、２．円形テーパー付きスルーホール。
【００６０】
【図１２】スルーホールの断面形状を示した図である。
【００６１】
（符号の説明）
１．絶縁基板、２．長方形テーパー付きスルーホール。
【００６２】
【図１３】スルーホールの断面形状を示した図である。
【００６３】
（符号の説明）
１．絶縁基板、２．楕円形テーパー付きスルーホール。
【００６４】
【図１４】本発明の二次元位置検出マイクロストリップガスカウンタ型放射線センサー素子の大面積化の方法を示した図である。
【００６５】
（符号の説明）
１０．１枚目のセンサー素子、１１．２枚目のセンサー素子、１２．３枚目のセンサー素子、１３．４枚目のセンサー素子、１４．図１５でセンサー素子の背面を拡大した部分、１５．図１６でセンサー素子の表面を拡大した部分。
【００６６】
【図１５】図１４の１４部分のセンサー素子背面における接続部を拡大して示した図である。
【００６７】
（符号の説明）
１ａ．１枚目センサー素子、１ｂ．２枚目センサー素子、２ａ．１枚目センサー素子の陽電極ストリップ、２ｂ．２枚目センサー素子の陽電極ストリップ、１６ａ．１枚目センサー素子の陽電極ストリップ端部のボンディングパット、１６ｂ．２枚目センサー素子の陽電極ストリップ端部のボンディングパット、１７．ボンティングワイヤ。
【００６８】
【図１６】図１４の１５部分のセンサー素子表面における接続部を拡大して示した図である。
【００６９】
（符号の説明）
１ｂ．２枚目センサー素子、１ｄ．４枚目センサー素子、３ｂ．２枚目センサー素子の陰電極ストリップ、３ｄ．４枚目センサー素子の陰電極ストリップ、４ｂ．２枚目センサー素子のスルーホール、４ｄ．４枚目センサー素子のスルーホール、７ｂ．２枚目センサー素子の陰電極ストリップ、７ｄ．４枚目センサー素子の陰電極ストリップ、１７．ボンティングワイヤ。
【００７０】
【図１７】本発明の二次元位置検出マイクロストリップガスカウンタ型放射線センサー素子を用いた中性子イメージングセンサーの構成と作動原理を示した図である。
【００７１】
（符号の説明）
１８．発明の二次元位置検出マイクロストリップガスカウンタ型放射線センサー素子、１９．ドリフトプレート、２０．圧力容器、２１．ヘリウム−３混合ガス、２２．陽電極ストリップのための正高電圧源、２３．陰電極ストリップのための負高電圧源、２４．ドリフトプレートのための負高電圧源、２５．陽電極ストリップからの多チャンネル高速信号パルス出力、２６．陰電極ストリップからの多チャンネル高速信号パルス出力、２７．外部から圧力容器内に入射する中性子、２８．プロトン、２９．トリトン、３０．電子群、３１．電子なだれで発生したイオン対雲。
【図１】
2005055306.tif 000003
【図２】
2005055306.tif 000004
【図３】
2005055306.tif 000005
【図４】
2005055306.tif 000006
【図５】
2005055306.tif 000007
【図６】
2005055306.tif 000008
【図７】
2005055306.tif 000009
【図８】
2005055306.tif 000010
【図９】
2005055306.tif 000011
【図１０】
2005055306.tif 000012
【図１１】
2005055306.tif 000013
【図１２】
2005055306.tif 000014
【図１３】
2005055306.tif 000015
【図１４】
2005055306.tif 000016
【図１５】
2005055306.tif 000017
【図１６】
2005055306.tif 000018
【図１７】
2005055306.tif 000019